(57)【要約】  多目的筐体を有する電磁放射線の高出力源が開示される。多目的筐体は、少なくとも光源を形成する材料で満たされた内部を含み、レーザーロッドに光励起を提供するために光源によって囲まれるレーザーロッドを包むことができる反射器をさらに含む。光源の外表面を定義する材料は、反射器の外表面にまで伸張するとともに該外表面を定義する。高反射率コーティングは、保護コーティングとして反射器の外表面にわたって配される。同様に、随意のヒートシンクを反射器の外表面に配することもでき、ヒートシンク全体を移動する強制空気の随意の配置によって冷却が行われる。光源は光源ランプであってもよく、高反射率コーティングは反射器を包むように形成されてもよい。【選択図】図３
2013508987.tif 000002
【特許請求の範囲】
【請求項１】
周辺の利得媒質による遮断のためにエネルギーを放出するように構成された放射線源を含む放射線の高出力源であって、
前記利得媒質は、放射線源のキャビティの側壁を形成するとともに筐体の内部の少なくとも一部を形成する材料を含み、それによって、エネルギーは、利得媒質に、増幅した電磁エネルギーを出力させる駆動エネルギーを含むことを特徴とする放射線の高出力源。
【請求項２】
増幅した電磁エネルギーがコヒーレント光であることを特徴とする請求項１に記載の高出力源。
【請求項３】
キャビティが筐体の一部として形成される電磁放射線の集電装置を含むことを特徴とする請求項１に記載の高出力源。
【請求項４】
高出力源が筐体の一部またはすべてを包む放熱体を含むことを特徴とする請求項１に記載の高出力源。
【請求項５】
高出力源が、筺体に取り外し可能に取り付けられるとともに筐体内で生じる熱を取り除くように構成された放熱体をさらに含むことを特徴とする請求項１に記載の高出力源。
【請求項６】
放射線源は筐体内部のキャビティ内に電磁放射線を放出するように構成されることを特徴とする請求項１に記載の高出力源。
【請求項７】
筐体の一部は利得媒質で作られ、筐体の一部は１以上の放射線源によって放出されるエネルギーに少なくとも部分的に透過性を有する材料で作られることを特徴とする請求項１に記載の高出力源。
【請求項８】
キャビティは筐体の一部として形成される電磁放射線の集電装置を含むことを特徴とする請求項１に記載の高出力源。
【請求項９】
集電装置は少なくとも１つの出力カプラー（ＯＣ）と少なくとも１つの高反射器（ＨＲ）の形態であることを特徴とする請求項１に記載の高出力源。
【発明の詳細な説明】
【技術分野】
【０００１】
（関連出願の相互参照）
本出願は、２００９年１０月２６日に出願され、ＨＩＧＨ  ＰＯＷＥＲ  ＲＡＤＩＡＴＩＯＮ  ＳＯＵＲＣＥ  ＷＩＴＨ  ＡＣＴＩＶＥ−ＭＥＤＩＡ  ＨＯＵＳＩＮＧと題された、特許文献１（Ａｔｔ．Ｄｏｃｋｅｔ  ＢＩ８３２６ＰＲ）、２００９年１１月１６日に出願され、ＨＩＧＨ  ＰＯＷＥＲ  ＲＡＤＩＡＴＩＯＮ  ＳＯＵＲＣＥ  ＷＩＴＨ  ＡＣＴＩＶＥ−ＭＥＤＩＡ  ＨＯＵＳＩＮＧと題された、特許文献２（Ａｔｔ．Ｄｏｃｋｅｔ  ＢＩ８３３３ＰＲ）、２０１０年４月５日に出願され、ＴＯＵＣＨ−ＴＩＰ  ＦＯＲ  ＭＥＤＩＣＡＬ  ＬＡＳＥＲと題された、特許文献３（Ａｔｔ．Ｄｏｃｋｅｔ  ＢＩ８３３３ＰＲ２）、および、２０１０年９月１５日に出願され、ＨＩＧＨ  ＰＯＷＥＲ  ＳＯＵＲＣＥ  ＯＦ  ＥＬＥＣＴＲＯＭＡＧＮＥＴＩＣ  ＲＡＤＩＡＴＩＯＮと題された、特許文献４（Ａｔｔ．Ｄｏｃｋｅｔ  ＢＩ８３１７ＰＲ３）の利益を主張するものであり、これらすべては、引用によって本明細書に組み込まれる。
【０００２】
本出願は、２００９年１０月１６日に出願され、ＨＩＧＨ  ＰＯＷＥＲ  ＳＯＵＲＣＥ  ＯＦ  ＥＬＥＣＴＲＯＭＡＧＮＥＴＩＣ  ＲＡＤＩＡＴＩＯＮと題された特許文献５（Ａｔｔ．Ｄｏｃｋｅｔ  ＢＩ８３１７ＰＲ２）、２００９年６月２９日に出願され、ＡＩＲ  ＣＯＯＬＥＤ  ＳＯＬＩＤ  ＳＴＡＴＥ  ＬＡＳＥＲと題された特許文献６（Ａｔｔ．Ｄｏｃｋｅｔ  ＢＩ８２７３ＰＲ）、および、特許文献７に対して優先権を主張する、ＣＯＡＴＥＤ  ＤＩＦＦＵＳＩＶＥ  ＴＹＰＥ  ＲＥＦＬＥＣＴＯＲ  ＦＯＲ  ＳＯＬＩＤ  ＳＴＡＴＥ  ＦＬＡＳＨＬＡＭＰ  ＰＵＭＰ  ＬＡＳＥＲと題された特許文献８（Ａｔｔ．ＢＩ８０７９Ｐ）に関連し、これらすべては、引用によって本明細書に組み込まれる。
【０００３】
本発明は、さらに、ＥＬＥＣＴＲＯＭＡＧＮＥＴＩＣ  ＥＮＥＲＧＹ  ＤＩＳＴＲＩＢＵＴＩＯＮＳ  ＦＯＲ  ＥＬＥＣＴＲＯＭＡＧＮＥＴＩＣＡＬＬＹ  ＩＮＤＵＣＥＤ  ＭＥＣＨＡＮＩＣＡＬ  ＣＵＴＴＩＮＧと題された特許文献９（Ａｔｔ．Ｄｏｃｋｅｔ  ＢＩ９０６６ＣＯＮ３）、ＦＬＵＩＤ  ＣＯＮＤＩＴＩＯＮＩＮＧ  ＳＹＳＴＥＭと題された、特許文献１０（Ａｔｔ．Ｄｏｃｋｅｔ  ＢＩ９９１４Ｐ）、および、ＵＳＥＲ  ＰＲＯＧＲＡＭＭＡＢＬＥ  ＣＯＭＢＩＮＡＴＩＯＮ  ＯＦ  ＡＴＯＭＩＺＥＤ  ＰＡＲＴＩＣＬＥＳ  ＦＯＲ  ＥＬＥＣＴＲＯＭＡＧＮＥＴＩＣＡＬＬＹ  ＩＮＤＵＣＥＤ  ＣＵＴＴＩＮＧと題された特許文献１１（Ａｔｔ．Ｄｏｃｋｅｔ  ＢＩ９００１Ｐ）に関し、これらの内容はすべて引用によって本明細書に組み込まれる。
【背景技術】
【０００４】
（１．発明の分野）
本発明は概して放射線出力装置に関し、特に放射線を放出し、反射し、配向する（ｃｈａｎｎｅｌ）装置に関する。
（２．関連技術の詳細）
様々な放射線出力システムが先行技術に存在し、それぞれに固有の色々な長所および相応の欠点がある。光学システムの文脈では、レーザーは、干渉性エネルギー放出装置自体の到来の時代まで遡って、確かに大きな注目と開発努力を集めてきた。例えば、医療用途および歯科用途の文脈で流体とともに使用される環状のレーザービームを放射するためのシステムといった複雑なシステムは、特許文献１２で明らかなように、マンチェリヤン（Ｍｕｎｃｈｅｒｙａｎ）によって四半世紀以上前に開示された。最近になって、エネルギーを集中させて標的の上に霧状の水を作り、その結果、水、エネルギー、衝撃波の１つ以上によって標的を切断または除去することができる極めて効率の高い医療用および歯科用のレーザー処置装置が特許文献１１で開示されている。このような処置装置は、例えば、固体レーザーによって具現化されると、コンパクトで、長期使用について信頼でき、現場で容易に交換されるという点において有利になり得る。
【先行技術文献】
【特許文献】
【０００５】
【特許文献１】米国仮特許出願第６１／２５５，０３１号
【特許文献２】米国仮特許出願第６１／２６１，７４５号
【特許文献３】米国仮特許出願第６１／３２１，０４１号
【特許文献４】米国仮特許出願第６１／３８３，２２７号
【特許文献５】米国仮特許出願第６１／２５２，５５２号
【特許文献６】米国仮特許出願第６１／２２１，５４４号
【特許文献７】米国仮特許出願第６１／０２５，３９８号
【特許文献８】米国特許出願第１２／３６３，６７９号
【特許文献９】米国特許第７，１０８，６９３号
【特許文献１０】米国特許出願第１１／３３０，３８８号
【特許文献１１】米国特許第５，７４１，２４７号
【特許文献１２】米国特許第３８２１５１０号
【発明の概要】
【課題を解決するための手段】
【０００６】
本発明の実施形態は多機能筐体の形状をとることができ、それは、レーザーロッド、一部をくり抜くためにレーザーロッドの長手軸に沿って／通って形成された（例えば、穴を空けられた）穴部、穴部を開けてくり抜いた結果としてレーザーロッド内に形成された長手方向の管腔、および、長手方向の管腔の内部にその長さに沿って少なくとも部分的に配されたフラッシュランプを含むおよび／または包含してもよい。長手方向の管腔内で展開しているレーザービームの励起（ｐｕｍｐｉｎｇ）を促進する反射器（例えば、ＨＲおよび／またはＯＣ）は、例えば、任意の多様で色々な形状で提供可能である。環状の周辺部の形をした反射器は、放出された光をファイバーに結合させるのに特に有益である。反射器は、さらにまたはあるいは、レーザーロッドの外部の一部または全てのまわりで配置することができるか、または、配置しなくてもよい。ＨＲとＯＣのミラーが使用される場合、例えば、ドーナツ形の放射パターンの生成を果すために適したドーナツ形のミラーの形状で機能性を提供するように、レーザーロッドの対向端部にミラーを置くことができる。
【０００７】
実施形態は、フラッシュランプを点けるためにアノードを有することができ、および／または、ＲＦ励起（あるいは、ダイオード側面励起のような他のタイプ）を有することができ、例えば、アノード／カソードは設けられず、および／または、レーザーロッドの（例えば、キセノンガスを含む）内部を循環させる（必ずしも再循環させる必要はない）ために準備がなされてもよい。好ましくは、冷却構造（例えば、ヒートシンクを含む任意の１以上の以下の参照構造）は、外部に配置される（例えば、レーザーロッドの結晶に取り付けられる）。このようなものは空気および／または水の冷却部でありえる。
【０００８】
本発明による反射器は、駆動エネルギー（例えば、光）を提供して、反射器に放射線（すなわち、電磁エネルギー）を出力させる１以上の放射線源（例えば、光源）の形状（例えば、本体）を含めるために作られる。光源の外表面を定義する材料は、反射器の外表面にまで広がり、さらにこれを定義する。高反射率コーティングは、反射器の外表面にわたって配置可能で、その後、随意の保護コーティングがなされてもよい。同様に、ヒートシンクは、ヒートシンクの一部に強制空気を方向づけるために、冷却が行われている反射器につなぐことができる。
【０００９】
ほんの一例として、かつ、限定ではなく、光学システムの文脈では、反射器は随意に空気で冷却される励起室のためのものであってよく、１つの刺激源の隣りの、あるいは、複数の刺激源（例えば、光源）に囲まれた利得媒質（例えば、レーザーロッド）を（例えば、その一体部分として）含むことができ、刺激源は、利得媒質に駆動エネルギー（例えば、光励起）を提供し、利得媒質に電磁エネルギーを出力させる。各々の刺激源は光源励起であってもよく、高反射率コーティングは反射器を包むように形成されてもよい。
【００１０】
１つの態様では、高出力の電磁放射線源は多目的筐体を有し、該筐体は、少なくとも光源を形成する材料で満たされた内部を含み、レーザーロッドに光励起を供給するための光源に囲まれたレーザーロッドを（随意に）包む反射器をさらに含む。
【００１１】
装置と方法が、機能的な説明を備えた文法的な流動性のために記載される一方で、特許請求の範囲は、他に明記されない限りは、「手段」または「工程」の限定の構造によって、いかなるようにも限定されるものとみなされるものではないが、司法の均等論の下で特許請求の範囲によって提供される定義の意味と均等物の完全な範囲にふさわしいものであるということがはっきりと分かるはずである。
【００１２】
本明細書で記載または参照された特徴、または、特徴の組み合わせは、そのような組み合わせに含まれる特徴が、文脈、本明細書、および、当業者の知識から明らかなように相互に矛盾したものではないのであれば、本発明の範囲内に含まれる。さらに、記載または参照される任意の特徴または特徴の組み合わせは、本発明の任意の実施形態から特別に除外されることがある。本発明を要約する目的のために、本発明の特定の態様、利点および新規な特徴が、記載および参照される。もちろん、当然のことながら、そのような態様、利点または特徴のすべてが必ずしも本発明の任意の特定の実施において具体化される必要がない。本発明の追加の利点および態様は、以下に続く詳細な記載および特許請求の範囲で明白である。
【図面の簡単な説明】
【００１３】
【図１】本発明の実施形態による多機能筐体の側部断面図を示す。
【図１Ａ】随意の冷却要素と共に同じ実施形態の端部断面図を示す。
【図１Ｂ】同じ実施形態の端部断面図を示す。
【図１Ｃ】同じ実施形態の端部断面図を示す。
【図２】本発明の流体冷却代替物の実施形態による、多機能筐体の側部断面図を示す。
【図３】本発明の非対称型の代替実施形態による、多機能筐体の側部断面図を示す。
【図３Ａ】随意の反射手段と共に非対称型の実施形態の端部断面図を示す。
【図４】随意の反射手段と共に、図３および３Ａの非対称型の実施形態の修正版を示す。
【図５】随意の反射手段と共に、図３および３Ａの非対称型の実施形態のさらに別の修正版を示す。
【図６】本発明の横励起（ｔｒａｎｓｖｅｒｓｅ  ｐｕｍｐｉｎｇ）配置による多機能筐体の側部断面図を示す。
【図６Ａ】横励起配置の平面図を示す。
【図６Ｂ】横励起配置の端部断面図を示す。
【図７】本発明の実施形態によって、室（例えば、反射器）の側部断面図を示す。
【図８】同じ実施形態の端部断面図を示す。
【図９】本発明の別の実施形態に応じて、第１のフラッシュランプ／反射器構造の端部断面図を示す。
【図１０】別の実施形態に応じて、第２のフラッシュランプ／反射器構造の端部断面図を示す。
【図１１】本発明のさらなる態様を示す。
【図１２】本発明のさらなる態様を示す。
【図１３】本発明のさらなる態様を示す。
【図１４】本発明のさらなる態様を示す。
【図１５】本発明のさらなる態様を示す。
【図１６】本発明のさらなる態様を示す。
【図１７】本発明のさらなる態様を示す。
【図１８】本発明のさらなる態様を示す。
【発明を実施するための形態】
【００１４】
本発明の実施形態は、添付の図面において記載されて示されているが、この図面の各々の例は、いくつかの実施においては一定の縮尺であると解釈され、一方で、他の実施においては、例えば、一定の縮尺である必要はないと解釈される。特定の態様では、図面および記載中の類似の参照番号または同じ参照番号を使用することは、同じ、よく似た、または、類似の構成要素および／または要素のことを指しているが、他の実施によれば、同じ参照番号を使用しても、同じ構成要素および／または要素を指してはならないことがある。特定の実施によって、上部、底部、左、右、上へ、下へ、上方に（ｏｖｅｒ、ａｂｏｖｅ）、下方に（ｂｅｌｏｗ、ｂｅｎｅａｈｔｈ）、後方に、および、前方に、などといった方向を示す用語は、文字通り解釈されるが、他の実施においては、同様の使用が文字通り解釈されてはならないことがある。本発明は、当該技術で従来使用される様々な装置と技術とともに実行され、一般的に実施される工程段階の限られたものだけが本発明についての理解を提供するのに必要であるように、本明細書内に含まれる。本発明は、放射線を放出し、反射し、方向づける装置（例えば、ＬＥＤ、ヘッドライトなど）のような、一般的に放射線出力システムおよび工程の分野で適用可能である。
【００１５】
図面をさらに詳しく見ていくと、本発明による多機能筐体（１４）は、本発明の実施形態に従って多機能筐体（１４）の側部断面描写のために図１に描かれる。多機能筐体（１４）は活性媒質（１６）と内部の励起領域（１８）を含む。内部の励起領域（１８）は励起源の機能を含有し、含み、または、活性媒質（１６）に励起源の機能を提供する。例えば、内部の励起領域（１８）はフラッシュランプとして機能するように提供されてもよい。このような配置にしたがって、活性媒質（１６）は、典型的には修正されたレーザーロッドなどのレーザーロッドを含んでもよい。例えば、描かれた実施形態の配置などの配置に関連して、多機能筐体（１４）を構築する方法は、例えば、レーザーロッドを提供する工程と、その長手軸に沿って／長手軸を通って（例えば、くり抜くために）穴を形成する（穴を開ける）工程であって、これによって、レーザーロッドの残りの部分は活性媒質（１６）を形成する工程を含むことができる。典型的な例では、前記工程を行なうことによって、フラッシュランプのような励起源を収容するのにふさわしい内部領域を有する円筒形状の活性媒質がもたらされる。
【００１６】
図１の例示された実施形態で解明されたように、本発明をさらに参照すると、励起可能な流体（例えば、ランプ用ガス（ｌａｍｐ  ｇａｓ）（１８ａ））が内部の励起領域（１８）に提供されてもよい。さらに、描かれた実施例において、１つ以上のエネルギー伝導体または電極（例えば、ランプ電極（１８ｂ）および（１８ｃ））が、内部の励起領域（１８）（例えば、内部で）に対して様々な近さで（例えば、対向端部などを包含するために）提供可能である。
【００１７】
図１に描かれたような側面励起（ｅｎｄ−ｐｕｍｐｅｄ）の実施によれば、部品は、任意の形状で、活性媒質（１６）（の端部内でまたは端部でまたは端部近くで）に対して様々な近さで（例えば、対向端部で）、光学系（ｏｐｔｉｃｓ）（例えば、高反射器ＨＲおよび／または出力カプラーＯＣ）として提供されてもよい。図１Ａは、線１Ａ−１Ａ’にそって撮られた図１の実施形態の端部断面図を示し、さらに随意の冷却手段（１９’）を示す。図１Ａで活性媒質（１６）の外表面（１９）によって定義されたような環状周辺部は、例えば、同様に環状の断面を有するファイバーへの結合のために有益であってもよい。特定の実施形態では、ＨＲとＯＣのミラー（例えば、コーティングを含む１つ以上）は、活性媒質（１６）の対向端部に配されるか、および／または、例えば、「Ｏ」形状の放射パターンを発生させるための「Ｏ」（例えば、ワッシャー）形状を有するように形成可能である。他の実施は、対をなす図１Ｂ（「Ｏ」形状の大きさのわずか約四分の一のＨＲおよび／またはＯＣを有し、もちろん、他の大きさ、形状、および／または、位置も可能である）およびＣ（円形断面を有するもののような図１Ｂの描写よりも小さなＨＲおよび／またはＯＣを有し、もちろん、他の大きさ、形状、および／または、位置も可能である）で示されるような他の形状の部品（例えば、ＨＲおよび／またはＯＣ）を含んでもよい。これらの２つの図を参照すると、図１Ｂは、線１ＢＣ−１ＢＣ’に沿って撮られた図１の実施形態の端部側面図を示し、図１Ｃは、再度、図１の線１ＢＣ−１ＢＣ’の観点から図１の実施形態に対する別の代替物の端部断面図を示す。断面の斜線領域はＨＲおよび／またはＯＣ部品を表す。
【００１８】
図１の配置の典型的な構築物において、構造、例えば、部品は、例えば、外表面（１９）と内表面（２０）の間で測定されるような活性媒質（１６）の１つ以上の厚みに機能的に適した（適合した、対応した、および／または、等しい）厚みを有するワッシャー形状のＨＲ（２２）とワッシャー形状のＯＣ（２４）として具現化される。例えば、ＨＲの厚みｔ１とＯＣの厚みｔ２の１つまたは両方は、レーザーロッドの厚みｔ３と適合するか、一致するか、または、等しい。図１の例において、ｔ１＝ｔ２＝ｔ３である。図１に示されるように、反射器（例えば、冷却手段（１９’）の湾曲面を含むか、および／または、冷却構造を含むまたは含まない、膜、層、または、コーティングを含むことがある）は、活性媒質（１６）の外側の一部および／またはすべての回りに配されても配されなくてもよく、および／または、活性媒質（１６）は、反射器が必要とされなくなるように十分に厚く形成されてもよい。
【００１９】
実施形態は、例えば、フラッシュランプを例えば点けるために電極（１８ｂと１８ｃを参照）を有することができ、図２で描かれるような（（１４）の一部またはすべての内部および／または好ましくは外部に）ＲＦ励起手段（２５）、または、ダイオード側面励起などの他のタイプを有することができ、例えば、アノード／カソードは提供されず、および／または、（例えば、室（１８ｄ）内のキセノンなどのランプ用ガスを含み、矢印ｆ１およびｆ２の方向に駆動される）内部を循環させる（必ずしも再循環させる必要はない）ために準備がなされてもよい。図２は、本発明の流体冷却代替物の実施形態に応じた多機能筐体の側部断面図を示す。好ましくは、冷却構造（例えば、ヒートシンクを含む、以下に参照した構造の任意の１以上）および／または図１Ａで例証された冷却手段（１９’）は、（例えば、活性媒質（１６）の結晶に取り付けられた）外部に配されるなどして同様にまたは代替的に使用される。このようなものは、空気および／または水の冷却であるか、または、空気および／または水の冷却を達成することができる。
【００２０】
図３は、本発明の非対称型の代替的な実施形態に従った多機能筐体の側部断面図を示し、図３Ａは、随意の反射および／または冷却手段（図１Ａの冷却手段（１９’））に沿って撮られた、図３の線３Ａ−３Ａ’に沿って撮られた、非対称の実施形態の端部断面図を示す。いくつかの実施によれば、図３および３Ａ中の極めて薄い線（ｐｈａｎｔｏｍ  ｌｉｎｅ）（１９’）は、上半分のみの上に、またはそのまわりに配された反射面であり、それによって、その下部の媒質のいくつかまたはすべては、「不活性」媒質（１６’）になり得る（例えば、反射面（１９’）が共振器の活性（例えば、ドープした）部分（１６）へ、および／または、（２２）ならびに／あるいは（２４）へとそれを方向づけることができるため）。活性媒質（１６）領域および不活性媒質（１６’）領域は、隣接（例えば、分子結合）および／またはドーピングの１つ以上によって定義されてもよい。図４は、随意の反射手段とともに、図３および３Ａの非対称型の実施形態の修正版を示し、図５は、図３および３Ａの非対称型の実施形態のさらに別の修正版を示す。
【００２１】
図６で描かれたような側面励起または横励起の実施によって、活性媒質（１６）の様々な近さでの（例えば、外表面（１９）と内表面（２０）で、その上で、または、その近くで）１つ以上の光学対（例えば、各々の対は高反射器ＨＲおよび／または出力カプラーＯＣから形成される）として部品が提供されてもよく、それによって、各々の光学対の部品は、例えば、半径方向に沿って測定されるような距離ｔ３によって分離される。上記の実施（図１−５参照）のように、図６の配置と特徴は、本明細書に記載されたものの任意の組み合わせまたは置換、および／または、修正を具体化するものであってもよい。例えば、図６Ａで例証されるようなＨＲおよび／またはＯＣの環状周辺部は、ファイバーへの結合を可能にする利点を備えることができる。図６Ａは、横励起配置の平面図を示し、図６Ｂは、横励起配置の端部断面図を示す。不活性媒質（１６’）の一部またはすべては、代替的に活性媒質（１６）を含み、および／または、ＨＲおよびＯＣ要素はその上またはその周囲に配されてもよい。
【００２２】
上記のドーナツ形状の放射パターンに関して、本発明の多くの特徴の１つの文脈では、そのような現象は、例えば、歯などの硬いまたは柔らかい組織といった標的に近接して（隣接して、または、それに対して）、輪状（例えば、環状）の画像（例えば、処置用ビーム）を投影するために行うことができる。本発明の他の例は、標的に隣接する、および／または、標的上の、卵形または長方形の画像／ビーム、他の簡単なまたは複雑な形状をした画像／ビーム、および／または、他の形状をした画像／ビームを投影し、それによって、投影された画像／ビームの中心は、より少ない、異なる量および／またはタイプの放射線を含むか、まったく放射線を含まない。
【００２３】
歯の硬組織の切断の実施形態のような典型的な硬組織の実施形態では、標的に投影される環状ビームの厚みは、約１／２ｍｍであってもよい（例えば、その環は約１／２ｍｍ厚さでもよい）。ここで、標的に投影された環状ビームは約１ｍｍの外径と、約１／２ｍｍの内径（例えば、放射量が少ないかまたは異なり、あるいは、放射されない）を有することができる。言い換えれば、環状ビームは約１ｍｍの外径を含むことができ、約１／２ｍｍの直径を有する非放射型の同心円状に配された中心領域を有することができる。
【００２４】
材料の先端は、処置用エネルギーの投影されたビームの中央に（例えば、中心に）設けることができる。材料の先端は、以下に説明される理由を含む理由のために、レーザー装置（例えば、ハンドピース）の放射端部から遠位に突出するように形成可能である。一つには、先端の突出の量は、以下に記載されるように、（例えば、特許文献１１に記載されたように、切断効果を可能にするかまたは最適化するなどして）最大電力または他の予め決められた状態または効果を提供するために、ハンドピースの放射端部を標的から距離を開けて配置するように設定可能である。いずれにしても、材料の先端は、選択された形状、用途、エネルギープロファイル等に依存して、ハンドピースの波長に対して透過性を有する材料から形成可能である。典型的に、しかし、必ずではないが、材料の先端は、ビーム（例えば、投影された画像）の放射線を含まない中心に配置され、したがって、非透過性材料から作ることができる（しかし、必ずしもそうである必要はない）。同様に、典型的には、しかしながら限定のためではなく、材料の先端は、例えば、（例えば、ユーザーが標的に対する放射端部の位置をよりよく識別できるために）ユーザーに対する触覚フィードバックの手段と、レーザーを照射した組織またはレーザーを照射した組織の中心の組織の島状構造（ｉｓｌａｎｄ）を砕くための手段の１つ以上を提供するための標的接触手段として設計され、使用される。
【００２５】
材料の先端はチューブまたはカニューレの形状であり、それは円筒形状か、または、先細りになっていてもよい（径を減らすために下方に先細りにするか、または、径を増やすために上方に先細りにするかのいずれかの方法で）。このチューブはレーザー放射に透過性を有していなければならず、両方の端部から開けることができるか、または、一方あるいは両方の端部で閉じることができる。閉じたカニューレの場合、中央開口部（ｏｒｉｆｉｃｅ）を介して導入される追加の特徴があってもよい：組織への水または他の液体の送達、血液、他の液体の吸引、または、副産物の除去、閉鎖領域で操作する場合に標的組織に取り付けるための真空を生成すること。
【００２６】
本発明によると、電磁放射線の高出力源は、１以上の放射線源（例えば、光源）のような（に形成された）形をした、かつ、実際に該放射線源を形成する側壁を備えた内部（例えば、筐体、または、反射器、および／または、励起キャビティ）を有し、該放射線源は、駆動エネルギー（例えば、光）を提供して、反射器から離れた放射線の放出、反射、または、配向の１以上による、放射線源からの放射線出力（すなわち、電磁エネルギー）を引き起こすか、結果としてもたらす。内部が筐体によって形成される実施によれば、筐体は多目的筐体を含むことができ、つまり、例えば、筐体は、反射器、励起室、１つ以上の刺激源、および／または、利得媒質であるという目的を少なくとも部分的に達成するために動作することができる。別の実施では、多目的筐体は反射器と放射線源として動作することができる。
【００２７】
多目的筐体は、ソース（例えば、刺激源）によって放射された電磁放射線に高度に透過的な材料で作られ、高い熱伝導率を有し、ヒートシンクとして役立つ（以下を参照）。反射器の目的に関しては、ソースの１つ以上の波長を反射するための反射器構造は、多目的筐体の外部の側壁に直接接触して形成可能である。
【００２８】
典型的な実施では、ソースは、反射照明器のハイブリッド一体式構造（ａ  ｒｅｆｌｅｃｔｏｒ  ｉｌｌｕｍｉｎａｔｏｒ  ｈｙｂｒｉｄ  ｍｏｎｏｂｌｏｃｋ）を含み、および／または、特定の実施形態での０．１−１０Ｗといった０．１−１００Ｗの平均電力を有するエネルギー（例えば、コヒーレント光）を出力する。したがって、本発明は非常に大きな出力に限定されないが、本発明の特徴は源がこのような比較的大きな電力を出力することができるということである。
【００２９】
１つの態様では、高出力の電磁放射線源は、少なくとも光源を形成する材料で満たされた内部を含むとともに、レーザーロッドに光励起を提供するための光源に囲まれたレーザーロッドを（随意に）包むことができる反射器をさらに含む多目的筐体を有する。
【００３０】
本発明に記載された補助器具（ａｉｄ）のように、図示するためだけに、および、任意の限定目的ではなく、以下の図面および添付の記載は、医療用のレーザー装置と、医療的な機能を果たすために医療用のレーザー装置を操作する方法の典型的な文脈で提供される。本発明がこのような詳細に（たとえそうであるとしても）限定されるよう意図された任意の内容は、そのようなものとして明白に区別される。
【００３１】
本発明による電磁エネルギー放射（例えば、限定されないが、固体レーザーのようなレーザー）システムは、電磁エネルギー（例えば、コヒーレント光）を出力するための利得媒質（例えば、レーザーロッド）と、利得媒質にむかって駆動（励起）エネルギーを放出して利得媒質にエネルギーを出力させるために近接に配された１以上の刺激源（例えば、フラッシュランプおよび／またはダイオード）を含む。フラッシュランプは、本明細書で刺激源として使用される際、フラッシュランプ電流によって駆動される。フラッシュランプ電流はフラッシュランプを駆動し、それによって、駆動エネルギー（例えばフラッシュランプ光）を生成かつ放射し、該駆動エネルギーは、直接かつ反射器を用いて利得媒質（例えば、レーザーロッド）に順に向けられる。駆動エネルギーの放出（例えば、配光）は、刺激源によって生成され、かつ、反射器によって修正され／配向されるように、利得媒質を駆動することによって出力エネルギー（例えば、コヒーレント光）を生成する。
【００３２】
利得媒質および刺激源は反射器内部に配され、反射器は、例えば、刺激源から放出された駆動エネルギーを利得媒質に向ける、室（例えば、励起室の反射器）の形状をとることができる。反射器は、乱反射の（例えば、エネルギーの高均一分布を備えたセラミック）構造、特性、および／または、機能と、鏡面反射の（例えば、高効率で低均一性の反射コーティング）構造、特性、および／または、機能の１つ以上を含むことができる。
【００３３】
駆動エネルギーを刺激源から利得媒質に向かわせることに加えて、反射器はさらに、利得媒質と刺激源の１つ以上に冷却を随意に提供することができる。本発明の特徴によれば、反射器は、利得媒質と刺激源の１つ以上に、限定されないが非液体の（例えば、気体）冷却流体を提供するための冷却構造を有する。すなわち、冷却は、流体冷却されたヒートシンク（例えば、反射器に対して外部に配置されたヒートシンク）に最終的にはつながれる固体材料を介した対流によるものであってもよい。
【００３４】
本発明の特徴は、利得媒質に対して平行に刺激源を配置することによって、歪み（例えば、熱楔（ｔｈｅｒｍａｌ  ｗｅｄｇｉｎｇ）による熱変形）を少なくしようとするものである。それにもかかわらず、利得媒質の軸に沿ったまたは直角な熱勾配からなどの熱変形が依然として存在する（例えば、利得媒質内で圧力を生じさせる、寿命を短くする、および／または、効率を低下させる）程度には、本発明のさらなる特徴は、利得媒質の対向面に平行に複数の（例えば、２つの）刺激源を配置することによって変形を減らそうとする。したがって、より大きな刺激（例えば、励起）は、特に気体冷却の典型的な文脈において、より少ない熱変形（例えば、利得媒質の曲げ）で実行される。
【００３５】
本発明の別の特徴は、（例えば、空気より大きな）高い熱伝導率を有するとともに刺激源からの駆動エネルギーの波長に透過的な材料（例えば、気体ではない）である反射器の内部容積を形成することを含む。材料は空気以上の熱伝導率（例えば、サファイアの熱伝導率など）を有することができる。約２５℃の温度で、空気の熱伝導率は約０．０２４Ｗ／ｍ°Ｃであることがあり、その一方で、サファイアの熱伝導率は約２３．０Ｗ／ｍ°Ｃである。参照としてのみのために、かつ、本発明によって使用されるための任意の特定の適合性を有しているものとしてではなく提供される他の少数の材料は、ほとんど同じ温度でそれぞれ約０．０３、０．０４、１．０５、１．７−４の熱伝導率を有する、（絶縁材料用の）発泡プラスチック、繊維ガラス、ガラス、および、花コウ岩である。本発明の態様は、空気の熱伝導率よりも約５０％大きい（例えば、例において、空気が０．０２４であれば、熱伝導率は約０．０３６になる）か、または、より好ましくは、約０．０３Ｗ／ｍ°Ｃあるいは０．０４Ｗ／ｍ°Ｃであるか、さらに好ましくは、約１．０Ｗ／ｍ°Ｃより大きいか、さらにもっと好ましくは、約４．０Ｗ／ｍ°Ｃより大きい熱伝導率と少なくとも同じであるか、またはそれよりも大きい熱伝導率（２５°Ｃで測定された）を有する材料の反射器の内部容積を形成することである。
【００３６】
典型的な実施形態によれば、反射器の内部は、ガス状というよりはむしろ固体またはゼラチン状であり、および／または、刺激源（例えば、フラッシュランプ）のケーシング（ｃａｓｉｎｇ）材料に一般的に使用される材料のような刺激源の外被（ｅｎｃａｓｉｎｇ）材料で満たされる（例えば、包含している）。
【００３７】
本発明の１つの態様は、刺激源の外被材料、または機能的な類似物、あるいは、刺激源の外被材料に接触する（例えば、それは反射器のそれぞれのキャビティまたは管腔内で保持される）その同等物を備えた反射器の内部を形成する。１つの態様によれば、刺激源の各々と反射器の内部の間には、間隔（例えば、いずれのチャネルおよび／または流体通路も）は存在しない（例えば、配置されないかまたは形成されない）。本発明の別の態様は、刺激源の外被材料で反射器の内部（例えば、固体の内部）を一体的に形成する。本発明のさらに別の態様は、刺激源の１つ以上の材料と同じ材料で（例えば、同じ材料の、または、同じ材料として）反射器の内部を一体的に形成し、それによって、刺激源の一部（例えば、外表面）は、反射器の内部を実際に形成するものとみなすことが可能であり、言いかえれば、反射器の内部は刺激源（例えば、刺激源の外表面）を実際に形成する（構成する、または、定義する）ものと見なすことができる。したがって、外被材料のような材料（例えば、高い熱伝導率および／または随意に駆動エネルギーの波長に対する透過性を有する固体材料）は、反射器（例えば、励起室）の内部（例えば、内部側壁）を定義（例えば、形成）することができ、刺激源の１つ以上の外表面を定義（例えば、形成）することもできる。
【００３８】
さらに詳細に図面を参照すると、図７は、本発明の実施形態による反射器の側部断面図を示し、図８は、同じ反射器の端部断面図を示す。最後に言及された態様の（すなわち、一体的な形成の）特定の実施は、刺激源の外被から反射器の内部を形成する。図で描かれているように、反射器の材料はその内部を満たすために伸張可能であり、さらに、刺激源のキャビティ（例えば、管腔）を定義する（例えば、実際に刺激源を作る／形成するため、何も反射器に挿入される必要はないが、むしろ、アノード／カソード／活性媒質は材料によって形成されたキャビティに挿入される必要がある）内表面と、反射器の外表面を定義する外表面とを有することができる。典型的な実施形態では、材料（例えば、外被材料）は、刺激の波長に対して光学的に透過性であり、および／または、高い（例えば、少なくとも空気の熱伝導率より大きい）熱伝導率を有する材料を含む。典型的な実施によれば、刺激源はフラッシュランプ（例えば、図７のランプ（１）およびランプ（２））を含み、および／または、外被材料はサファイアを含む。
【００３９】
図９は、本発明の実施形態による、第１のフラッシュランプ／反射器構造の端部断面図を示し、図１０は、他の実施形態による第２のフラッシュランプ／反射器構造の端部断面図を示す。ここで、反射器の内部は刺激源の外被から形成され、それによって、刺激源の外被は反射器の内部を満たすような程度まで拡張する。本発明のこの態様によって、刺激源の１以上の材料と同じ材料との（例えば、の、として、または、から）反射器の一体的な形成は、特定の状況下または操作状況下で存在する（例えば、刺激源の動作時に内部圧力を生じさせることによって、潜在的に寿命を短くするか、および／または、効果を減らす）刺激源の軸に沿った、または、該軸に直角な熱勾配からなどの熱変形に対抗し、該熱変形を減らし、または、安定させる。この配置の結果として、気体冷却の典型的な文脈などで、より大きな刺激が実施されてもよい。
【００４０】
図９および１０において、反射器を形成するために拡張した刺激源の外被の文脈に沿って、各々の刺激源の外被はそれぞれ反射器の半分を形成するために拡張される。その２つの半分部分、例えば、図９の半分部分と図１０の半分部分は、反射器を形成するために、当業者に適切であるとみなされるであろう任意の手段を用いて一緒に固定されることが可能である。例えば、その半分部分は、本開示を考慮して当業者にとって明らかとなるように、クランプ、バンド、任意の種類のバイスグリップ構造体、プレス機または圧入機、溶接、接着、補足的なまたは他のタイプの筐体／調心／把持構造体、ヒンジ、フランジ構造体、および、それらの組み合わせを用いて固定される。典型的な実施では、上方および下方の半分部分のそれぞれは、それ自体としては、（例えば、その対向する端部にアノードとカソードを有し、かつ、その内部に適切な気体（例えば、キセノン）または他の刺激物、適切なコーティング、適切な寸法などを有する）刺激源の本体を形成するため、刺激源は該上方および下方の半分部分のキャビティには挿入されない。さらに、いくつかの（例えば、代替的な）実施形態によって、上記の参考文献として記載された特許文献６の１以上の構造（例えば、１つ以上の刺激源と、および／または、「空気冷却室」、「空気経路」、「流管」、「気流管」、および、「透過性を有する反射板（ｒｅｆｌｅｃｔｏｒ  ｂｌｏｃｋ）」のような、流体または空気冷却構造／機能のうちのいずれか１以上）は、全体的または部分的に、本明細書で記載される任意の態様、特徴、および、構造と任意に組み合わせて含まれてもよい。
【００４１】
随意の利得媒質は、例えば、約５０−７０ｍｍの長さと、例えば、約３−４ｍｍの直径を有する長方形の円筒形状のロッドの形で提供される固体材料を含むことができる。より強力な冷却のために、円筒形状のロッドは、より長い長さおよび／または比較的高い長さと直径の比で提供可能である。例えば、利得媒質は、上記の長さから約１１０−１３０ｍｍまで変動し、および／または、約２−６ｍｍで変動する直径を有することができる。本発明による典型的な構築物は、長さが約１１０−１１５ｍｍ、幅が約３−４ｍｍ（例えば、約３ｍｍ）である。このような細長い利得媒質は、熱放散の利点を備えている一方で、空気冷却の典型的な文脈などにおいて熱変形の影響をより受けやすく、それによって、利得媒質の長さに近いか一致する長さを有して（限定よりもむしろ優先目的で）形成される多数の並行に配された刺激源の重要性または有用性を潜在的に向上させる。
【００４２】
示されるように、細長い利得媒質は活性イオンでドープされた結晶材料（例えば、ガラスまたはプラスチック）のような適切な活物質を含むことができる。１つの態様によれば、利得媒質と反射器の内部の間には、間隔（例えば、チャネルおよび／または流体通路）は存在しない（例えば、配置されない、または、形成されない）。しかしながら、他の実施は、利得媒質と反射器の内部の間に配置または形成された１つ以上の間隔（例えば、チャネル、間隔、および／または、流体通路）を含んでもよい。
【００４３】
追って具体化されるように、活物質は共振器内で、または、共振器の一部として形成されるか、あるいは、共振器である。典型的な構築物では、共振器は１対の反射要素（例えば、ミラー）によって具体化される（例えば、定義される）。反射要素は活物質の対向端部に配置されてもよい。例えば、反射要素の１つまたは両方は、活物質のそれぞれの端部に（既知の技術を使用して）一定間隔で配置され、取り付けられ、および／または、活物質のそれぞれの端部上で（既知の技術を使用して）コーティングとして形成される。図７で示された配置は、反射器内に取り付けられる構造として形成される２つの反射要素を含む。
【００４４】
図７を具体的に参照すると、２つの反射要素は活物質の対向端部に取り付けられて示されている。描かれた組立体によれば、反射要素の各々は、不活性物質（例えば、ドープされていないＹＳＧＧガラス）の端部（上でコーティングされ、および／または、形成され）への付着によって活物質につながれ、該不活性物質は順に活物質（例えば、Ｅｒ、Ｃｒ：ＹＡＧＧドープされたガラスロッド）に付けられる（例えば、圧入され、接触され、および／または、接着される）。他の実施では、活物質および／または不活性物質の部分の長さは異なってもよい。例えば、このような長さは、反射器の側壁／側面と同一平面で描かれているような位置に２つの反射要素を配するために、依然としてほぼ等しい３つのすべての部分のネットの長さで異なってもよい。他の実施形態では、２つの反射要素は同一平面ではない。
【００４５】
代替的な実施形態／構造体において、反射要素の１つ以上は、活物質から切り離される（例えば、該活物質上でコーティングとして、および／または、該活物質に対して全体的または部分的に独立して形成されない）か、および／または、共振器の外部に配される（例えば、活物質の光学軸に沿ってさらにまだ並べられる）ことができる。他の実施形態では、不活性物質部分の１つ以上の長さはゼロであり、および／または、２つの反射要素は、反射器の側面と同一平面になるようにまたはならないように形成される。２つの反射要素は、例えば、出力カプラー（ＯＣ）および高反射器（ＨＲ）の形状で、例えば、集電装置（ｃｏｌｌｅｃｔｏｒ）を含んでもよい。利得媒質がフラッシュランプを含む刺激源によって励起されるレーザーロッドであり、フラッシュランプがレーザーロッドを活性状態に到達させるとともにフラッシュランプからの光に晒してレーザー利得を提供するような上記レーザー（例えば、固形状）に限定されないが、この文脈などにおけるレーザーの実施形態において、ＯＣとＨＲ要素は高い反射率を含むことができる。典型的な実施形態では、ＯＣは、低値から高値までに及ぶ反射率を含むことができ、ＨＲは（例えば、非常に高い反射率を備えた）ミラーを含むことができる。特定の実施は、６から９９％、７０から９５％、または、約８０％に及ぶ反射率を有するＯＣを含み、９９％、９９．５％、または、９９．９％の反射率を有するＨＲを含んでもよい。
【００４６】
随意の不活性物質、反射要素、および、活物質の１つ以上は、没入型（ｉｍｍｅｒｓｉｖｅ）の媒質（例えば、刺激源の波長に対する高い熱伝導率および光学的透過性を備えた接着剤）で接触させられる。例えば、没入型の媒質は、水、ゲル（例えば、粘着性のグリセリン）、および、接着剤（例えば、適切な粉末を負荷したポリメタクリル酸メチル）の１つ以上からなり、該１つ以上から基本的になり、または、該１つ以上を含む。１つの例において、没入型の媒質は水である。別の実施例において、没入型の媒質は、利得媒質と反射器内部の材料（例えば、サファイア）の間に配される。反射器内部の材料は利得媒質を保持するために管腔またはキャビティを形成することができ、それによって、例えば、没入型の媒質は利得媒質とともに管腔またはキャビティ内に配されてもよい。別の実施例は刺激源の波長に光学的に透過性で、かつ、利得媒質と反射器の内部の材料（例えば、サファイア）の間で高い熱伝導率（例えば、空気の熱伝導率よりもはるかに大きい）を有する、水ベースのゲルの形をした没入型の媒質を含んでもよい。
【００４７】
反射器の外部（例えば、サファイア）は、刺激源から駆動エネルギー（例えば、励起光）の反射率を向上させるために（すなわち、高反射性材料で）覆われる表面（例えば、高度に磨き上げられた表面）を含むことができる。反射器は一般的に、高エネルギー転送効率を提供するのにふさわしい明確に定義された形状を有するように形成される。反射器の外径（ＯＤ）値の非限定的な範囲は、約１２ｍｍから約５５ｍｍまでであり、典型的な反射器の非限定的な範囲の値は約１０ｍｍから１５０ｍｍまでの長さである。フラッシュランプのエネルギーがレーザーロッドを刺激するために集中するようなやり方でレーザーロッドに向けられるような、レーザーロッドの形をした利得媒質のフラッシュランプ励起の場合、このようなフラッシュランプは、例えば、所定のパルス波形と周波数を含むフラッシュランプ電流（ｆｌａｓｈｌａｍｐ  ｃｕｒｒｅｎｔ）によって駆動される、エルビウムレーザーシステムのための刺激源として使用可能である。
【００４８】
反射器内部は、代替的な実施では、直列または並列の冷却経路、エネルギーを吸収する流管、結晶およびランプのウォータージャケット、冷却材取り付け器具（ｃｏｏｌａｎｔ  ｆｉｔｔｉｎｇ）、および、Ｏリングで含んでもよい。典型的には、本発明の反射器は、刺激源および利得媒質を囲む楕円形状または筒状形状を含む。典型的な（例えば、付加的なおよび／または代替的な）構築物における反射器（例えば、外被材料の外部の放射状部分）の一部またはすべては、部分的にまたは全体的に、外被材料（例えば、サファイア）と組み合わせてまたは組み合わせずに、ステンレス（例えば、金、銀、アルミニウム、ステンレス鋼、または、銅）または非金属（例えば、セラミック、または、ドープされたガラス）の材料を含むように形成された円筒形状のまたは楕円形状の本体を含んでもよい。特定の実施によれば、利得媒質を駆動させるために駆動エネルギー分布を生成させる刺激源の目的を促進するために、反射面は、前述の項目のいずれかを含むことができ、および／または、刺激源と利得媒質の１つ以上のすぐ近くに配置可能である。反射器とも呼ばれるこのような反射面構造は、例えば、反射器の内部（例えば、室）の駆動エネルギーに晒された面の１つ以上に形成可能である。
【００４９】
利得媒質の任意の一部またはすべては、反射器の一部として形成（例えば、一体的に形成）されてもよい。例えば、利得媒質の外被の一部またはすべては、反射器の一部（例えば、固体内部の一部、または、多くの部分／大部分／すべて）を形成するために拡張することができる。特定の実施では、反射器の内部は、利得媒質の外被からまたはこの外被で形成され、そうすることによって、利得媒質および／または刺激源の外被は反射器の内部を満たすような程度まで拡張する。他の実施では、反射器の内部は、刺激源および／または利得媒質の外被の１つ以上から形成される。反射器の内部容積は、例えば、刺激波長への透過性と高い熱伝導率を有する固体（例えば、サファイア）を含むことができる。利得媒質の材料は、反射器内部の一部／すべてを満たすためにこうして伸張可能であり、さらに、利得媒質のキャビティを定義する内表面（例えば、実際に利得媒質を作り／形成し、したがって、反射器に利得媒質を挿入する必要はないが、好ましくは、ＨＲ、ＯＣ、活物質、随意の不活性物質などを、材料によって形成されたキャビティに挿入する／組み込む必要がある）と、反射器の外表面を定義する外表面を有することができる。例えば、２つの反射面（例えば、ＨＲおよび／またはＯＣ）の１つ以上は、不活性物質（例えば、ドープしていないＹＳＧＧガラス）の端部に形成されることで活物質につながれてもよい。
【００５０】
本発明の特徴は、例えば、金、銀、銅、または、他の高反射性材料（例えば、前述の品目のいずれかを含む）を含む高反射性材料による反射器の外側（すなわち、外部）表面のコーティング（例えば、スプレー、浸漬、ペイント、蒸着、真空などによる）を含む。典型的な構築物は、高反射性材料によってコーティングされる励起室の反射器の外側（すなわち、外部）表面のすべて（あるいは十分にすべて）を含むことができる。本発明の態様によれば、高反射性材料のコーティングは例えば、鏡面反射の励起室の反射器上で高反射性材料を形成するために使用されると知られている任意の材料および／または工程を、全体的にまたは部分的に、任意の順列組み合わせで用いて、多目的筐体（例えば、反射器）の外表面に塗布可能である。一例として、高反射性材料は反射器（例えば、励起室の反射器）の外表面上に、例えば、銅を真空蒸着または電解コーティングすることによって該反射器の外表面上に形成されてもよい。他の実施形態では、拡散型の励起室の反射器は楕円（例えば、楕円の、円筒形状の、および／または、固体のチューブ）形状に形成された、パイレックス、石英、および／または、上記サファイアのような材料を含んでもよく、その外側（すなわち、外部）表面は記載されたように高反射性材料でコーティングされる。
【００５１】
高反射性材料（例えば、コーティング）は、例えば、約１０ｎｍ乃至約１０，０００ｎｍ、および、特定の実施例において、例えば約１０００ｎｍの範囲内の厚さを有することができる。１つの実施によれば、多目的筐体、室、または、キャビティ（例えば、チューブ）の外表面全体に、均一のコーティング厚さが提供される。高反射性材料（例えば、銀）による外表面のコーティングの後、保護層は高反射性材料に形成されてもよい。例えば、保護層は、多くの実施例のうちの１つにすぎないが、約１ミクロンの厚さに成形された二酸化ケイ素層などのさび止め材料を含んでもよい。
【００５２】
流体（例えば、空気）は、冷却を提供するために、反射器にわたっておよび／またはそのまわりで循環することができる。１つの特徴によれば、流体（例えば、気体）の循環は、例えば、気体吸入時などの流体の事前冷却を含むことができるため、組立体は、過熱される気体のより大きな温度範囲を有し、それゆえ、要素からより多くの熱出力を取り除くことができる。鍵となるのは、流体（例えば、空気）冷却を有することから得られるすべての利点が失われず（例えば、冷却システムの複雑さ、コスト、および、大きさ）、むしろ、合成されるような効率を最適化できることである。
【００５３】
本発明の特徴によれば、ヒートシンクは反射器の外部に配されるか、さもばければ、反射器につなげられる。ヒートシンクは、高反射性材料の配置および／または保護層のコーティングの後に、反射器の晒された面／外表面の一部またはすべてに例えば形成されてもよい。追って具体化されるように、ヒートシンクは、「炭素発泡体」と呼ばれる材料を含むことができる。その材料は機械加工され、強化され、そしてさらに、水中のアルミホイルよりも空気中でより優れた熱交換能力を有している。材料の一例は、テキサス州・ジケーターのＰｏｃｏ  Ｇｒａｐｈｉｔｅ，ＩｎｃのＰＯＣＯＦｏａｍ（登録商標）である。炭素発泡体の空気の流れの実行は、（アリゾナの赤色岩のように）通り抜ける際にその材料を浸食しない。実行は、炭素発泡体（例えば、その発泡体は約７０％の多孔性であってもよい）の表面積に数オングストローム（複数の分子層）のセラミック膜を配する工程を含むことができる。炭素発泡体の情報（それは引用文によって本明細書に組み込まれる）については、http://www.ornl.gov/info/ornlreview/v33_3_00/foam.htm、および、http://www.ms.ornl.gov/researchgroups/CMT/FOAM/foams.htm.で得ることができる。図８に描かれたように、かつ、ヒートシンクの当業者に知られているように、ヒートシンクはリブ（ｒｉｂ）を含むことができる。空気はこうして、ヒートシンクの突起およびチャネル上に、これらのまわりで、および、これらを通って、循環され、冷却することができる。ヒートシンクの一方の側は、熱電冷却装置（Ｔｈｅｒｍｏ−Ｅｌｅｃｔｒｉｃ  Ｃｏｏｌｉｎｇ  ｄｅｖｉｃｅ）の冷却板に取り付けられて、さらに冷却可能である。
【００５４】
特定の実施によると、反射器によって生成されたレーザーエネルギーは、電源または処理ファイバー（ｔｒｅａｔｍｅｎｔ  ｆｉｂｅｒ）から出力されるとともに、例えば、標的表面（例えば、歯、骨、軟骨、および、軟組織の１つ以上）上のハンドピースの流体出力部から放出された流体（例えば、ハンドピースの出力端部近くの水道および／または噴霧接続部からの、気体噴霧および／または液体噴霧、または、流体粒子の霧状の分布）へと向けられる。流体出力部は、例えば、米国特許出願第１１／０４２，８２４号、米国仮出願第６０／６０１，４１５号に記載されているように、出力ファイバーの周りに同心状に配された複数の流体出力部を含んでもよい。出力または処置ファイバーは、約２．６９から約２．８０ミクロンまでの範囲内の波長、および、約２．９４ミクロンの波長の１つ以上を含む電磁エネルギー源につなげられる。特定の実施では、出力ファイバーは、Ｅｒ：ＹＡＧレーザー、Ｅｒ：ＹＳＧＧレーザー、Ｅｒ、Ｃｒ：ＹＳＧＧレーザーおよびＣＴＥ：ＹＡＧレーザーの１つ以上のものに結合され、および、特定の例では、約２．７８９ミクロンの波長を有するＥｒ、Ｃｒ：ＹＳＧＧ固体レーザー、および、約２．９４０ミクロンの波長を有するＥｒ：ＹＡＧ固体レーザーの１つに結合される。標的表面上の流体粒子の霧状分布へと電磁エネルギーを方向付けるための対応する構造を含んでいる機器は、例えば、下記に引用する米国特許出願第５，５７４，２４７号において開示されており、該出願は、レーザーエネルギーの流体粒子への伝達によって、標的表面に分裂的な力を加えることについて記載している。
【００５５】
図１１乃至図１８は、本発明のさらなる態様を示す。
【００５６】
本明細書の開示を通じて、レーザーは、標的表面を診断し、モニタし、および／または、標的表面に影響を与えるのに有用な電磁放射を出力できることが記載されてきた。光ファイバーの先端の放射線を用いる手順の場合、プローブは、管内などの歯の構造を処置（例えば、切除）するために、処置用放射線を標的表面に送るための１以上の出力または処置ファイバーを含むことができる。本明細書に記載の実施形態のいずれかにおいて、照明および／または診断のための光は、処置用の放射線の送達および／または流体出力部からの流体の送達と同時に、または、断続的に、または、別々に送信される。
【００５７】
バイオレイズテクノロジー，インクに譲渡された以下の特許に記載されている、対応するまたは関連する構造および方法は、それら全体を引用することによって本明細書に組み込まれ、このような組み込みは、この開示による本発明の任意の部分、特許または以下の出願の任意の部分、および、当業者の知識と判断とともに、または、これらと組み合わせて、全体的にまたは部分的に、（ｉ）使用可能であり、（ｉｉ）使用可能となるように当業者によって修正され、および／または、（ｉｉｉ）実施され／使用される。
【００５８】
このような特許は、限定されないが、米国特許第７，５７８，６２２号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許第７，５７５，３８１号（発明の名称「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」）；米国特許第７，５６３，２２６号（発明の名称「Ｈａｎｄｐｉｅｃｅｓ  ｈａｖｉｎｇ  ｉｌｌｕｍｉｎａｔｉｏｎ  ａｎｄ  ｌａｓｅｒ  ｏｕｔｐｕｔｓ」）；米国特許第７，４６７，９４６号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」）；米国特許第７，４６１，９８２号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」；米国特許第７，４６１，６５８号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許第７，４５８，３８０号（「Ｍｅｔｈｏｄｓ  ｆｏｒ  ｔｒｅａｔｉｎｇ  ｅｙｅ  ｃｏｎｄｉｔｉｏｎｓ」）；米国特許第７，４２４，１９９号（Ｆｉｂｅｒ  ｔｉｐ  ｆｌｕｉｄ  ｏｕｔｐｕｔ  ｄｅｖｉｃｅ）」；米国特許第７，４２１，１８６号（「Ｍｏｄｉｆｉｅｄ−ｏｕｔｐｕｔ  ｆｉｂｅｒ  ｏｐｔｉｃ  ｔｉｐｓ」）；米国出願公開第７，４１５，０５０号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」；米国特許第７，３８４，４１９号（発明の名称「Ｔａｐｅｒｅｄ  ｆｕｓｅｄ  ｗａｖｅｇｕｉｄｅ  ｆｏｒ  ｄｅｌｉｖｅｒｉｎｇ  ｔｒｅａｔｍｅｎｔ  ｅｌｅｃｔｒｏｍａｇｎｅｔｉｃ  ｒａｄｉａｔｉｏｎ  ｔｏｗａｒｄ  ａ  ｔａｒｇｅｔ  ｓｕｒｆａｃｅ」）；米国特許第７，３５６，２０８号（発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」）；米国特許第７，３２０，５９４号（Ｆｌｕｉｄ  ａｎｄ  ｌａｓｅｒ  ｓｙｓｔｅｍ）」；米国特許第７，３０３，３９７号（発明の名称「Ｆｌｕｉｄ  ａｎｄ  ｌａｓｅｒ  ｓｙｓｔｅｍ」）；米国特許第７，２９２，７５９号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許第７，２９０，９４０号（発明の名称「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」；米国特許第７，２８８，０８６号（発明の名称「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」）；米国特許第７，２７０，６５７号（発明の名称「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」）；米国特許第７���２６１，５５８号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」；米国特許第７，１９４，１８０号、発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」；米国特許第７，１８７，８２２号（発明の名称「Ｆｉｂｅｒ  ｔｉｐ  ｆｌｕｉｄ  ｏｕｔｐｕｔ  ｄｅｖｉｃｅ」）；米国特許第７，１４４，２４９号（発明の名称「Ｄｅｖｉｃｅ  ｆｏｒ  ｄｅｎｔａｌ  ｃａｒｅ  ａｎｄ  ｗｈｉｔｅｎｉｎｇ」）；特許文献９（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許第７，０６８，９１２号（発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」）；米国特許第６，９４２，６５８号（発明の名称「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」）；米国特許第６，８２９，４２７号（発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」）；米国特許第６，８２１，２７２号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｃｕｔｔｉｎｇ」）；米国特許第６，７４４，７９０号（発明の名称「Ｄｅｖｉｃｅ  ｆｏｒ  ｒｅｄｕｃｔｉｏｎ  ｏｆ  ｔｈｅｒｍａｌ  ｌｅｎｓｉｎｇ」）；米国特許第６，６６９，６８５号（発明の名称「Ｔｉｓｓｕｅ  ｒｅｍｏｖｅｒ  ａｎｄ  ｍｅｔｈｏｄ」）；米国特許第６，６１６，４５１号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」）；米国特許第６，６１６，４４７号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許第６，６１０，０５３号（発明の名称「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」）；米国特許第６，５６７，５８２号（発明の名称「Ｆｉｂｅｒ  ｔｉｐ  ｆｌｕｉｄ  ｏｕｔｐｕｔ  ｄｅｖｉｃｅ」）；米国特許第６，５６１，８０３号（発明の名称「Ｆｌｕｉｄ  ｃｏｎｄｉｔｉｏｎｉｎｇ  ｓｙｓｔｅｍ」）；米国特許第６，５４４，２５６号（発明の名称「Ｅｌｅｃｔｒｏｍａｇｎｅｔｉｃａｌｌｙ  ｉｎｄｕｃｅｄ  ｃｕｔｔｉｎｇ  ｗｉｔｈ  ａｔｏｍｉｚｅｄ  ｆｌｕｉｄ  ｐａｒｔｉｃｌｅｓ  ｆｏｒ  ｄｅｒｍａｔｏｌｏｇｉｃａｌ  ａｐｐｌｉｃａｔｉｏｎｓ」）；米国特許第６，５３３，７７５号（発明の名称「Ｌｉｇｈｔ−ａｃｔｉｖａｔｅｄ  ｈａｉｒ  ｔｒｅａｔｍｅｎｔ  ａｎｄ  ｒｅｍｏｖａｌ  ｄｅｖｉｃｅ」）；米国特許第６，３８９，１９３号（発明の名称「Ｒｏｔａｔｉｎｇ  ｈａｎｄｐｉｅｃｅ」）；米国特許第６，３５０，１２３号（発明の名称「Ｆｌｕｉｄ  ｃｏｎｄｉｔｉｏｎｉｎｇ  ｓｙｓｔｅｍ」）；米国特許第６，２８８，４９９号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許第６，２５４，５９７号（発明の名称「Ｔｉｓｓｕｅ  ｒｅｍｏｖｅｒ  ａｎｄ  ｍｅｔｈｏｄ」）；米国特許第６，２３１，５６７号（発明の名称「Ｍａｔｅｒｉａｌ  ｒｅｍｏｖｅｒ  ａｎｄ  ｍｅｔｈｏｄ」）；米国特許第６，０８６，３６７号（発明の名称「Ｄｅｎｔａｌ  ａｎｄ  ｍｅｄｉｃａｌ  ｐｒｏｃｅｄｕｒｅｓ  ｅｍｐｌｏｙｉｎｇ  ｌａｓｅｒ  ｒａｄｉａｔｉｏｎ」）；米国特許第５，９６８，０３７号（発明の名称「Ｕｓｅｒ  ｐｒｏｇｒａｍｍａｂｌｅ  ｃｏｍｂｉｎａｔｉｏｎ  ｏｆ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」）；米国特許第５，７８５，５２１号（発明の名称「Ｆｌｕｉｄ  ｃｏｎｄｉｔｉｏｎｉｎｇ  ｓｙｓｔｅｍ」）；および、特許文献１１（発明の名称「Ａｔｏｍｉｚｅｄ  ｆｌｕｉｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」）を含む。
【００５９】
同様に、上記の開示および参照されたアイテム、そして参照されたページに記述されたものは、下記公開された出願およびその中で参照されたアイテムの全てまたは一部において、対応または関係する構造および方法の全てまたは一部について、使用可能なように、または、使用可能に修正可能となることを意図している。前記公開された出願は、以下の通りである。米国特許公報第２００９００３５７１７号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｔｒａｎｓｐａｒｅｎｔ  ｄｅｎｔｉｆｒｉｃｅ  ｓｙｓｔｅｍ」）；米国特許公報第２００９００３１５１５号（発明の名称「Ｔｒａｎｓｐａｒｅｎｔ  ｄｅｎｔｉｆｒｉｃｅ  ｆｏｒ  ｕｓｅ  ｗｉｔｈ  ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ｓｙｓｔｅｍ」）；米国特許公報第２００８０２７６１９２号（発明の名称「Ｍｅｔｈｏｄ  ａｎｄ  ａｐｐａｒａｔｕｓ  ｆｏｒ  ｃｏｎｔｒｏｌｌｉｎｇ  ａｎ  ｅｌｅｃｔｒｏｍａｇｎｅｔｉｃ  ｅｎｅｒｇｙ  ｏｕｔｐｕｔ  ｓｙｓｔｅｍ」）；米国特許公報第２００８０２４０１７２号（発明の名称「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」）；米国特許公報第２００８０２２１５５８号（発明の名称「Ｍｕｌｔｉｐｌｅ  ｆｉｂｅｒ−ｔｙｐｅ  ｔｉｓｓｕｅ  ｔｒｅａｔｍｅｎｔ  ｄｅｖｉｃｅ  ａｎｄ  ｒｅｌａｔｅｄ  ｍｅｔｈｏｄ」）；米国特許公報第２００８０２１２６２４号（発明の名称「Ｄｕａｌ  ｐｕｌｓｅ−ｗｉｄｔｈ  ｍｅｄｉｃａｌ  ｌａｓｅｒ」）；米国特許公報第２００８０１５７６９０号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許公報第２００８０１５１９５３号（発明の名称「Ｅｌｅｃｔｒｏｍａｇｎｅｔ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許公報第２００８０１２５６７６号（発明の名称「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」）；米国特許公報第２００８００９７４１８号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００９７４１７号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００９７４１６号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００７０１８５号（発明の名称「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」）；米国特許公報第２００��００６５０５７号（発明の名称「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」）；米国特許公報第２００８００６５０５５号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００６５０５４号（発明の名称「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」）；米国特許公報第２００８００６５０５３号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００３３４１１号（発明の名称「Ｈｉｇｈ  ｅｆｆｉｃｉｅｎｃｙ  ｅｌｅｃｔｒｏｍａｇｎｅｔｉｃ  ｌａｓｅｒ  ｅｎｅｒｇｙ  ｃｕｔｔｉｎｇ  ｄｅｖｉｃｅ」）；米国特許公報第２００８００３３４０９号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００３３４０７号（発明の名称「Ｍｅｔｈｏｄｓ  ｆｏｒ  ｔｒｅａｔｉｎｇ  ｅｙｅ  ｃｏｎｄｉｔｉｏｎｓ」）；米国特許公報第２００８００２５６７５号（発明の名称「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」）；米国特許公報第２００８００２５６７２号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許公報第２００８００２５６７１号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許公報第２００７０２９８３６９号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」）；米国特許公報第２００７０２６３９７５号（発明の名称「Ｍｏｄｉｆｉｅｄ−ｏｕｔｐｕｔ  ｆｉｂｅｒ  ｏｐｔｉｃ  ｔｉｐｓ」）；米国特許公報第２００７０２５８６９３号（発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」）；米国特許公報第２００７０２０８４０４号（発明の名称「Ｔｉｓｓｕｅ  ｔｒｅａｔｍｅｎｔ  ｄｅｖｉｃｅ  ａｎｄ  ｍｅｔｈｏｄ」）；米国特許公報第２００７０２０８３２８号（発明の名称「Ｃｏｎｔｒａ−ａｎｇｅｌ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許公報第２００７０１９０４８２号（発明の名称「Ｆｌｕｉｄ  ｃｏｎｄｉｔｉｏｎｉｎｇ  ｓｙｓｔｅｍ」）；米国特許公報第２００７０１８４４０２号（発明の名称「Ｃａｒｉｅｓ  ｄｅｔｅｃｔｉｏｎ  ｕｓｉｎｇ  ｒｅａｌ−ｔｉｍｅ  ｉｍａｇｉｎｇ  ａｎｄ  ｍｕｌｔｉｐｌｅ  ｅｘｃｉｔａｔｉｏｎ  ｆｒｅｑｕｅｎｃｉｅｓ」）；米国特許公報第２００７０１０４４１９号（発明の名称「Ｆｉｂｅｒ  ｔｉｐ  ｆｌｕｉｄ  ｏｕｔｐｕｔ  ｄｅｖｉｃｅ」）；米国特許公報第２００７００６０９��７号（発明の名称「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」）；米国特許公報第２００７００５９６６０号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許公報第２００７００５４２３６号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許公報第２００７００５４２３５号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許公報第２００７００５４２３３号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許公報第２００７００４２３１５号（発明の名称「Ｖｉｓｕａｌ  ｆｅｅｄｂａｃｋ  ｉｍｐｌｅｍｅｎｔｓ  ｆｏｒ  ｅｌｅｃｔｒｏｍａｇｎｅｔｉｃ  ｅｎｅｒｇｙ  ｏｕｔｐｕｔ  ｄｅｖｉｃｅｓ」）；米国特許公報第２００７００１４５１７号（発明の名称「Ｅｌｅｃｔｒｏｍａｇｎｅｔｉｃ  ｅｎｅｒｇｙ  ｅｍｉｔｔｉｎｇ  ｄｅｖｉｃｅ  ｗｉｔｈ  ｉｎｃｒｅａｓｅｄ  ｓｐｏｔ  ｓｉｚｅ」）；米国特許公報第２００７００１４３２２号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許公報第２００７０００９８５６号（発明の名称「Ｄｅｖｉｃｅ  ｈａｖｉｎｇ  ａｃｔｉｖａｔｅｄ  ｔｅｘｔｕｒｅｄ  ｓｕｒｆａｃｅｓ  ｆｏｒ  ｔｒｅａｔｉｎｇ  ｏｒａｌ  ｔｉｓｓｕｅ」）；米国特許公報第２００７０００３６０４号（発明の名称「Ｔｉｓｓｕｅ  ｃｏｖｅｒｉｎｇｓ  ｂｅａｒｉｎｇ  ｃｕｓｔｏｍｉｚｅｄ  ｔｉｓｓｕｅ  ｉｍａｇｅｓ」）；米国特許公報第２００６０２８１０４２号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」）；米国特許公報第２００６０２７５０１６号（発明の名称「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」）；米国特許公報第２００６０２４１５７４号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｄｉｓｒｕｐｔｉｖｅ  ｃｕｔｔｉｎｇ」）；米国特許公報第２００６０２４０３８１号（発明の名称「Ｆｌｕｉｄ  ｃｏｎｄｉｔｉｏｎｉｎｇ  ｓｙｓｔｅｍ」）；米国特許公報第２００６０２１０２２８号（発明の名称「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」）；米国特許公報第２００６０２０４２０３号（発明の名称「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」）；米国特許公報第２００６０１４２７４３号（発明の名称「Ｍｅｄｉｃａｌ  ｌａｓｅｒ  ｈａｖｉｎｇ  ｃｏｎｔ���ｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」）；米国特許公報第２００６００９９５４８号（発明の名称「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」）；米国特許公報第２００６００４３９０３号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）；米国特許公報第２００５０２８３１４３号（発明の名称「Ｔｉｓｓｕｅ  ｒｅｍｏｖｅｒ  ａｎｄ  ｍｅｔｈｏｄ」）；米国特許公報第２００５０２８１８８７号（発明の名称「Ｆｌｕｉｄ  ｃｏｎｄｉｔｉｏｎｉｎｇ  ｓｙｓｔｅｍ」）；米国特許公報第２００５０２８１５３０号（発明の名称「Ｍｏｄｉｆｉｅｄ−ｏｕｔｐｕｔ  ｆｉｂｅｒ  ｏｐｔｉｃ  ｔｉｐｓ」）；米国特許公報第２００４０１０６０８２号（発明の名称「Ｄｅｖｉｃｅ  ｆｏｒ  ｄｅｎｔａｌ  ｃａｒｅ  ａｎｄ  ｗｈｉｔｅｎｉｎｇ」）；米国特許公報第２００４００９２９２５号（発明の名称「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」）；米国特許公報第２００４００９１８３４号（発明の名称「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」）；米国特許公報第２００４００６８２５６号（発明の名称「Ｔｉｓｓｕｅ  ｒｅｍｏｖｅｒ  ａｎｄ  ｍｅｔｈｏｄ」）；米国特許公報第２００３０２２８０９４号（発明の名称「Ｆｉｂｅｒ  ｔｉｐ  ｆｌｕｉｄ  ｏｕｔｐｕｔ  ｄｅｖｉｃｅ」）；米国特許公報第２００２０１４９３２４号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）
、および、米国特許公報第２００２００１４８５５号（発明の名称「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」）。
【００６０】
材料の先端に関して、本発明の特徴は、厚すぎず、薄すぎもしない流体粒子の境界層を維持することでありえる。流体粒子の分布に入れられる（例えば、および／または、処理エネルギーを置く）とともに、さらに、標的表面に近接して（例えば、２−３ｍｍ）置かれる光ファイバーの先端（例えば、材料の先端および／または放出端部）は、入射処理（例えば、凝縮した電磁）エネルギーと標的表面の間の流体粒子の薄層を形成する。他の距離は、例えば、選択されたレーザーの強度および波長、選択された流体（もしあれば）、および、霧状の流体粒子（もしあれば）の選択された分布に依存して、本発明の範囲内で可能である。電磁的に誘導された切断機は、レーザー、マイクロプロセッサー、および、ユーザーインターフェースを含むことができる。電磁的に誘導された切断機は、１つ以上の噴霧ノズルに空気および／または水を供給するために、空気源および／または水源を含むことができる。実施形態に従って、１つ以上の材料の先端（例えば、接触アーム）が用いられ、１つ以上の接触アームが標的表面から電磁エネルギー源を間隔を置いて配する機能を提供する限り、基本的に任意の形状を取ってもよい。例えば、１つの実施形態において、１つ以上の接触アームは、標的から電磁エネルギー源を間隔を置いて配する機能を依然として提供する一方で、実際の標的に加えて患者の別の部分、または、標的の周辺部などの別の表面に接触するように構築されてもよい。他の修正された実施形態では、わずか１つのアームに加えて、組織に接触する１つ以上の追加のアームが与えられる。例えば、組織に接触する３つ以上のアームは、例えば、約１２０度、２４０度、および、３６０度に配置されてもよい。別の実施形態では、組織に接触するアームは、半球形状のエンクロージャなどの少なくとも部分的なエンクロージャの一部であり、かつ、該部分的なエンクロージャを形成する。さらに別の実施形態では、組織に接触するアームは、少なくとも部分的な円筒形状の、長方形の、または、他のエンクロージャを形成する。したがって、エンクロージャの接触面（すなわち、標的表面に接触する面）は、標的表面（１本以上の接触させる脚に対応する）に触れるための１以上の点を含むか、または、標的表面に触れるための丸形の、楕円形の、長方形の、または、他の連続的あるいは非連続的な周辺部を含んでもよい。
【００６１】
例えば、接触アームは、上下逆さまのスプーンなどのような卵形の半球のエンクロージャを形成し、卵形の半球のエンクロージャの接触面は標的表面に触れるために卵形の形状または縁部を形成する。したがって、使用時、標的表面上の卵形形状は卵形の半球の構造によって囲まれることになる。本明細書で使用されるように、用語「半球の」とは、球の半分を定義するように意図されるわけではなく、むしろ、標的表面に接触するための開口部によって任意の閉曲面を定義するよう意図される。したがって、半球構造が標的表面に接触するために長方形の縁部を形成する実施形態において、エンクロージャは、長方形の縁部に移行する球体の半分、または、長方形の縁部を備えた開口の立方体のエンクロージャなどといった様々な球状を有していてもよい。組織に接触するアームの遠位端部は、好ましくは表面が丸くまたは滑らかにされることによって、組織に接触するアームが患者の組織、組織、結晶またはガラスなどの標的表面上で滑らかに動くことが可能である。１つの修正された実施形態では、遠位端部の少なくとも１つはボールローラーを含む。
【００６２】
水分出力部（ｍｏｉｓｔｕｒｅ  ｏｕｔｐｕｔ）は、電磁エネルギーの経路に、湿った空気および／または水または霧状の空気／水のミスト／噴霧を向かわせることができる。水分出力部からの水は、組織に接触するアームが標的上を滑らかに動くことを可能にするのに役立つことができる。１つの実施形態において、水または別の流体、または、潤滑特性を有する水に対する添加剤は、水分出力部から放出されてもよい。例えば、軟水は水分出力部から放出されてもよい。水分出力部は、霧状の流体粒子を、標的表面上の、または、標的表面の電磁エネルギーの経路に出力するためのアトマイザー（ａｔｏｍｉｚｅｒ）を含むことができる。吸引部は、過剰な湿った空気および／または霧状の流体粒子を取り除くことができる。吸引部は、流体流路が、水分出力部（９０）から、相互作用領域を通って、かつ、吸引部を通って外に出るのを促進するために配置可能である。
【００６３】
本明細書の組織に接触するアームのいずれかは、ステンレス鋼またはプラスチックから作られてもよく、組織に接触するアームの一部またはすべては、透明なプラスチックのような透過性材料から作られもよい。
【００６４】
組織に接触するアームは、チューブ形状、円筒形状、または先細り形状であり、臨床的に機能的な動作：流体の送達または吸引、切断製品の吸引または真空吸引によって操作部位への取り付けのために中央開口部を利用する。
【００６５】
組織に接触するアームの少なくとも１つは、近位端部、遠位端部、および、その間で伸張する吸引通路を含むことができる。各々の吸引通路は、標的表面から、余分な流体と砕片を運ぶために構築することができる。この端部を促進するために、遠位端部の丸い面（例えば、ボールローラー）の１つ以上は、標的表面のより近くに吸収通路の開口部を置くために、より小さなまたはより丸い外形を有するように構成されてもよい。１つの実施形態では、吸引通路の開口部は、遠位端部の丸い面またはボールローラー内に置かれてもよい。各々の吸引通路は、例えば、放出された水の粒子を取り除き、吸引通路を通って、かつ、ハンドピースから水の粒子を近位に運ぶことができる。送気管および送水管は、軟水または別の流体、あるいは、潤滑特性を有する水への添加剤を出力するように構成されてもよい。１つ以上のアトマイザー、霧発生器、または、湿った空気の出力部（流体出力部）が、組織に接触するアーム（２１２）内に配され、該アームにつなげられ、該アームの間で嵌合されてもよい。
【００６６】
前記公開された出願の全ての内容は、全体として引用することによって本明細書に組み入れられる。本明細書の開示は、特定の図示された実施形態を参照するが、当然のことながら、これらの実施形態は限定するものではなく一例として示されている。例えば、任意の放射線出力部（例えば、レーザー）、任意の流体出力部（例えば、水出力部）、および、任意の品質改良剤、粒子、薬剤など、および、それらの詳細または特徴、あるいは、方法、工程および技術を含む他の特徴は、全体的にまたは部分的に、任意の順列組み合わせで、本発明の任意の非均等な別々の取り替えできない態様として、本明細書に記載または引用された任意の他の構造または工程とともに用いられる。全体的にまたは部分的に、本開示によって本発明の任意の部分（ｉ）によって動作可能であり、および／または、構築され、（ｉｉ）該部分によって動作可能となるようにおよび／または構築されるように当業者により修正され、ならびに／あるいは、（ｉｉｉ）該部分によってまたは該部分と組み合わせて実施／製造／使用される、文脈、この明細書、および、当業者の知識（それらの修正形態を含む）から明白なような相互に矛盾しない程度まで本明細書の一部として特に熟慮、開示、および、主張された対応するまたは関連する構造および方法は、任意の順列および／または組み合わせで、（Ｉ）上記開示または参照された構造物と方法、および／または、（ＩＩ）以下の特許請求の範囲およびその一部のいずれか１以上の主題を含む。この開示を添付する意図は、添付の特許請求の範囲によってのみ限定される本発明の精神と範囲内にあるように、相互に排他的ではない程度まで、実施形態の全ての修正、変形、組み合わせ、順序、省略、置換、代替、および、均等物を含めるために、当業者の知識に従って構築されたこのような実施形態を有することである。
【図１】
2013508987.tif 000003
【図１Ａ】
2013508987.tif 000004
【図１Ｂ】
2013508987.tif 000005
【図１Ｃ】
2013508987.tif 000006
【図２】
2013508987.tif 000007
【図３】
2013508987.tif 000008
【図３Ａ】
2013508987.tif 000009
【図４】
2013508987.tif 000010
【図５】
2013508987.tif 000011
【図６】
2013508987.tif 000012
【図６Ａ】
2013508987.tif 000013
【図６Ｂ】
2013508987.tif 000014
【図７】
2013508987.tif 000015
【図８】
2013508987.tif 000016
【図９】
2013508987.tif 000017
【図１０】
2013508987.tif 000018
【図１１】
2013508987.tif 000019
【図１２】
2013508987.tif 000020
【図１３Ａ】
2013508987.tif 000021
【図１３Ｂ】
2013508987.tif 000022
【図１４】
2013508987.tif 000023
【図１５】
2013508987.tif 000024
【図１６】
2013508987.tif 000025
【図１７】
2013508987.tif 000026
【図１８】
2013508987.tif 000027
【国際調査報告】
2013508987.tif 000028